(57)【特許請求の範囲】
【請求項１】
金属球を球径に応じて選別するために用いられる篩用マスクであって、
多数のパターン開口が規則的に密集して配列された篩網を備え、
前記篩網に規則的に密集して配列された多数のパターン開口は、左右方向に横長に形成され、左右両端が先窄み形状を有する第１開口単体を上下方向に複数個配置し、上下方向に縦長に形成され、上下両端が先窄み形状を有する第２開口単体を、前記第１開口単体の両端のうち少なくとも一端で左右方向に少なくとも一つ配置した組み合わせで構成されており、前記複数個の第１開口単体と少なくとも一つの第２開口単体とが左右方向に交互になるように配列するとともに、前記複数個の第１開口単体のうち最上位の第１開口単体の横長上端辺及び最下位の第１開口単体の横長下端辺と少なくとも一つの第２開口単体の上下両端とが左右方向の同一位置に配置されており、上下方向で見ると、前記複数個の第１開口単体の直上部及び直下部に少なくとも一つの第２開口単体がそれぞれ位置するように密集して配置されており、前記第１開口単体及び第２開口単体の１個ずつの幅と長さの大きさを同じにすることにより、選別処理に寄与する単位面積当りのパターン開口面積を増大させたことを特徴とする篩用マスク。
【請求項２】
振動を与えることにより、金属球を球径に応じて選別するために用いられる篩用マスクであって、
振動を与える振動付与装置に取り付ける取付孔が設けられた枠体と、
前記枠体の内側に設けられ、多数のパターン開口が規則的に密集して配列された篩網とを備え、
前記篩網に規則的に密集して配列された多数のパターン開口は、左右方向に横長に形成され、左右両端が先窄み形状を有する第１開口単体を上下方向に複数個配置し、上下方向に縦長に形成され、上下両端が先窄み形状を有する第２開口単体を、前記第１開口単体の両端のうち少なくとも一端で左右方向に少なくとも一つ配置した組み合わせで構成されており、前記複数個の第１開口単体と少なくとも一つの第２開口単体とが左右方向に交互になるように配列するとともに、前記複数個の第１開口単体のうち最上位の第１開口単体の横長上端辺及び最下位の第１開口単体の横長下端辺と少なくとも一つの第２開口単体の上下両端とが左右方向の同一位置に配置されており、上下方向で見ると、前記複数個の第１開口単体の直上部及び直下部に少なくとも一つの第２開口単体がそれぞれ位置するように密集して配置されており、前記第１開口単体及び第２開口単体の１個ずつの幅と長さの大きさを同じにすることにより、選別処理に寄与する単位面積当りのパターン開口面積を増大させたことを特徴とする篩用マスク。
【請求項３】
左右方向に横長で縦３列に配置され、左右両端が先窄み形状を有する３個の第１開口単体と、上下方向に縦長で横１列に配置され、上下両端が先窄み形状を有する１個の第２開口単体との組み合わせで構成したことを特徴とする請求項１又は請求項２記載の篩用マスク。
【請求項４】
左右方向に横長で縦３列に配置され、左右両端が先窄み形状を有する３個の第１開口単体と、上下方向に縦長で横２列に配置され、上下両端が先窄み形状を有する２個の第２開口単体との組み合わせで構成したことを特徴とする請求項１又は請求項２記載の篩用マスク。
【請求項５】
左右方向に横長で縦３列に配置され、左右両端が先窄み形状を有する３個の第１開口単体と、上下方向に縦長で横３列に配置され、上下両端が先窄み形状を有する３個の第２開口単体との組み合わせで構成したことを特徴とする請求項１又は請求項２記載の篩用マスク。
【請求項６】
開口単体の左右両端又は上下両端の先窄み形状は、円弧状の丸みを持つか、山形状又は隅丸状としたことを特徴とする請求項１〜請求項５のいずれかに記載の篩用マスク。
【請求項７】
単位面積当りのパターン開口面積を増大させるために、開口率を６１％〜８８％の範囲としたことを特徴とする請求項１〜請求項６のいずれかに記載の篩用マスク。
【発明の詳細な説明】
【技術分野】
【０００１】
この発明は、パターン開口面積をできるだけ大きくしてボール選別処理時間を大幅に短縮した篩用マスクに関するものである。
【背景技術】
【０００２】
従来、はんだボール等の金属球の球径を選別するために用いられる篩用マスクとしては、皿形形状の金属板の底部に、所要の穴径の多数の貫通穴を有する篩治具が一般的に良く知られている（例えば、特許文献１参照）。また、その他の従来技術として、多数孔が形成された基板からなる、粒状物を分級するための分級用フィルターであって、各孔の開口部の平面形状が、長手方向の第１長さとこの長手方向に直交する短手方向の第２の長さとを有する細長状からなる分級用フィルターが知られている（例えば、特許文献２参照）。
【先行技術文献】
【特許文献】
【０００３】
【特許文献１】特開平１−１８９３７６号公報
【特許文献２】特開平１１−３４７４９１号公報
【発明の概要】
【発明が解決しようとする課題】
【０００４】
従来の分級用フィルターでは、一般的に良く知られている篩治具に比べて、分級効率と分級精度の双方の向上が図れ、改善されたとは言えるが、未だパターン開口面積をできるだけ大きくしてボール選別処理時間を大幅に短縮するところまでは至っていない。
【０００５】
この発明は、上述のような課題を解決するためになされたもので、パターン開口形状の組み合わせ方を各種検討した結果、パターン開口面積をできるだけ大きくしてボール選別処理時間を大幅に短縮できるようにした篩用マスクを提供するものである。
【課題を解決するための手段】
【０００６】
この発明に係る篩用マスクにおいては、金属球を球径に応じて選別するために用いられる篩用マスクであって、多数のパターン開口が規則的に密集して配列された篩網を備え、
篩網に規則的に密集して配列された多数のパターン開口は、左右方向に横長に形成され、左右両端が先窄み形状を有する第１開口単体を上下方向に複数個配置し、上下方向に縦長に形成され、上下両端が先窄み形状を有する第２開口単体を、第１開口単体の両端のうち少なくとも一端で左右方向に少なくとも一つ配置した組み合わせで構成されており、複数個の第１開口単体と少なくとも一つの第２開口単体とが左右方向に交互になるように配列するとともに、複数個の第１開口単体のうち最上位の第１開口単体の横長上端辺及び最下位の第１開口単体の横長下端辺と少なくとも一つの第２開口単体の上下両端とが左右方向の同一位置に配置されており、上下方向で見ると、複数個の第１開口単体の直上部及び直下部に少なくとも一つの第２開口単体がそれぞれ位置するように密集して配置されており、第１開口単体及び第２開口単体の１個ずつの幅と長さの大きさを同じにすることにより、選別処理に寄与する単位面積当りのパターン開口面積を増大させたものである。
【０００８】
また、振動を与えることにより、金属球を球径に応じて選別するために用いられる篩用マスクであって、振動を与える振動付与装置に取り付ける取付孔が設けられた枠体と、枠体の内側に設けられ、多数のパターン開口が規則的に密集して配列された篩網とを備え、篩網に規則的に密集して配列された多数のパターン開口は、左右方向に横長に形成され、左右両端が先窄み形状を有する第１開口単体を上下方向に複数個配置し、上下方向に縦長に形成され、上下両端が先窄み形状を有する第２開口単体を、第１開口単体の両端のうち少なくとも一端で左右方向に少なくとも一つ配置した組み合わせで構成されており、複数個の第１開口単体と少なくとも一つの第２開口単体とが左右方向に交互になるように配列するとともに、複数個の第１開口単体のうち最上位の第１開口単体の横長上端辺及び最下位の第１開口単体の横長下端辺と少なくとも一つの第２開口単体の上下両端とが左右方向の同一位置に配置されており、上下方向で見ると、複数個の第１開口単体の直上部及び直下部に少なくとも一つの第２開口単体がそれぞれ位置するように密集して配置されており、第１開口単体及び第２開口単体の１個ずつの幅と長さの大きさを同じにすることにより、選別処理に寄与する単位面積当りのパターン開口面積を増大させたものである。
【００１０】
また、左右方向に横長で縦３列に配置され、左右両端が先窄み形状を有する３個の第１開口単体と、上下方向に縦長で横１列に配置され、上下両端が先窄み形状を有する１個の第２開口単体との組み合わせで構成したものである。
【００１１】
また、左右方向に横長で縦３列に配置され、左右両端が先窄み形状を有する３個の第１開口単体と、上下方向に縦長で横２列に配置され、上下両端が先窄み形状を有する２個の第２開口単体との組み合わせで構成したものである。
【００１２】
また、左右方向に横長で縦３列に配置され、左右両端が先窄み形状を有する３個の第１開口単体と、上下方向に縦長で横３列に配置され、上下両端が先窄み形状を有する３個の第２開口単体との組み合わせで構成したものである。
【００１５】
また、開口単体の左右両端又は上下両端の先窄み形状は、円弧状の丸みを持つか、山形状又は隅丸状としたものである。
【００１６】
また、単位面積当りのパターン開口面積を増大させるために、開口率を６１％〜８８％の範囲としたものである。
【発明の効果】
【００１７】
この発明によれば、金属球等の球径を選別するために用いられる篩用マスクであって、多数のパターン開口が規則的に密集して配列された篩網を備え、篩網に規則的に密集して配列された多数のパターン開口は、左右方向に横長に配置され、左右両端が先窄み形状を有する複数個の開口単体と、上下方向に縦長に配置され、上下両端が先窄み形状を有する１個以上の開口単体との組み合わせで構成することにより、選別処理に寄与する単位面積当りのパターン開口面積を増大させるようにしたので、ボール選別処理時間を大幅に短縮できる効果がある。また、各開口単体の両端が先窄み形状をしているので、マスク開口の角部（エッジ部）が破損するのを防止する効果がある。
【図面の簡単な説明】
【００１８】
【図１】この発明の実施例１における篩用マスクの全体を示す斜視図とその一部を拡大して示す部分拡大斜視図である。
【図２】この発明の実施例１における篩用マスクのパターン開口形状を拡大して示す平面図である。
【図３】図２のＡ−Ａ線に沿った断面図である。
【図４】この発明の実施例２における篩用マスクのパターン開口形状を拡大して示す平面図である。
【図５】この発明の実施例３における篩用マスクのパターン開口形状を拡大して示す平面図である。
【図６】この発明の実施例４における篩用マスクのパターン開口形状を拡大して示す平面図である。
【図７】この発明の実施例５における篩用マスクのパターン開口形状を拡大して示す平面図である。
【図８】この発明の実施例６における篩用マスクのパターン開口の開口単体形状を拡大して示す平面図である。
【発明を実施するための形態】
【実施例１】
【００１９】
図１はこの発明の実施例１における篩用マスクの全体を示す斜視図とその一部を拡大して示す部分拡大斜視図、図２は篩用マスクのパターン開口形状を拡大して示す平面図、図３は図２のＡ−Ａ線に沿った断面図である。
この発明による篩用マスク１は、周囲に設けられた四角状の枠体２と、この枠体２の内側に設けられためっき等により形成された篩網３とから構成されている。上記枠体２には、複数の取付孔４がほぼ等間隔に設けられている。篩網３は、その板厚が約５０μｍ程度であり、全面にはパターン開口面積をできるだけ大きくしてボール選別処理時間を大幅に短縮できるようにしたパターン開口５が規則的かつ密集して配列されている。上記篩用マスク１は、例えばバイブレーションとジャイレーションの複合運動を作り出す振動ふるい器（図示せず）等に装着されて、はんだボール等の金属球の球径を選別するために用いられる。篩網３のパターン開口５は、図２に示すように、左右方向に横長で縦３列に配置され、左右両端が円弧状の丸みを持った先窄み形状を有する３個の開口単体５ａと、上下方向に縦長で横１列に配置され、上下両端が円弧状の丸みを持った先窄み形状を有する１個の開口単体５ｂとの組み合わせで構成されており、左右方向に３個の開口単体５ａと１個の開口単体５ｂとが交互になるように配列するとともに、上下方向で見ると、水平方向に横長の３個の開口単体５ａの中央部直下及び中央部直上に垂直方向に縦長の１個の開口単体５ｂが位置するように密集して配列されている。また、各開口単体５ａ、５ｂの１個ずつの大きさ（幅と長さ）は、幅が約２４０μｍ、長さが約９６０μｍである。また、各開口単体５ａの隣接相互間の間隔（リブ幅）は約１２０μｍである。これにより、各開口単体を互いに近接するように密集して配列することができるので、単位面積当りのパターン開口面積をできるだけ大きくすることができる。この時の開口率は、約５４％〜５６.２５％である。なお、各開口単体５ａの隣接相互間の間隔（リブ幅）を板厚と同じ約５０μｍにすると、開口率は上がって約７３．３７％になることが判明した。また、各開口単体５ａの隣接相互間の間隔（リブ幅）を約２０μｍにすると、開口率は更に上がって約８７．７５％になることが判明した。したがって、単位面積当りのパターン開口面積をできるだけ大きくする場合は、開口率を６１％〜８８％の範囲にすると良い。なお、開口率が８８％を超えると、マスク強度が落ちてしまう。
この発明による篩用マスク１の特徴は、パターン開口形状の組み合わせ方により各開口単体を密集して配列することができる。そして、上記組み合わせ方の採用により、選別処理に寄与するパターン開口面積をできるだけ大きくしてボール選別処理時間を大幅に短縮することできる。また、各開口単体５ａ、５ｂの両端が円弧状の丸みを持たせているので、マスク開口の角部（エッジ部）が破損するのを防止する効果がある。
【実施例２】
【００２０】
図４はこの発明の実施例２における篩用マスクのパターン開口形状を拡大して示す平面図である。上記実施例１では、パターン開口５を、左右方向に横長で縦３列に配置され、左右両端が円弧状の丸みを持った３個の開口単体５ａと、上下方向に縦長で横１列に配置され、上下両端が円弧状の丸みを持った１個の開口単体５ｂとの組み合わせで構成したが、この実施例２においては、図４に示すように、パターン開口５は、左右方向に横長で縦３列に配置され、左右両端が円弧状の丸みを持った先窄み形状を有する３個の開口単体５ｃと、上下方向に縦長で横３列に配置され、上下両端が円弧状の丸みを持った先窄み形状を有する３個の開口単体５ｄとの組み合わせで構成されており、左右方向に３個の開口単体５ｃと３個の開口単体５ｄとが交互になるように配列するとともに、上下方向で見ると、左右方向に横長の３個の開口単体５ｃの中央部直下及び中央部直上に上下方向に縦長の３個の開口単体５ｄと左右方向に横長の３個の開口単体５ｃの隣接相互間部分が位置するように密集して配列されている。
このパターン開口形状の組み合わせ方により各開口単体を密集して配列することができるので、実施例１と同様の効果が得られる。
【実施例３】
【００２１】
図５はこの発明の実施例３における篩用マスクのパターン開口形状を拡大して示す平面図である。上記実施例１では、パターン開口５を、左右方向に横長で縦３列に配置され、左右両端が円弧状の丸みを持った先窄み形状を有する３個の開口単体５ａと、上下方向に縦長で横１列に配置され、上下両端が円弧状の丸みを持った先窄み形状を有する１個の開口単体５ｂとの組み合わせで構成し、また、上記実施例２では、パターン開口５は、左右方向に横長で縦３列に配置され、左右両端が円弧状の丸みを持った先窄み形状を有する３個の開口単体５ｃと、上下方向に縦長で横３列に配置され、上下両端が円弧状の丸みを持った先窄み形状を有する３個の開口単体５ｄとの組み合わせで構成したが、この実施例３においては、図５に示すように、パターン開口５は、左右方向に横長で縦３列に配置され、左右両端が円弧状の丸みを持った先窄み形状を有する３個の開口単体５ｅと、上下方向に縦長で横２列に配置され、上下両端が円弧状の丸みを持った先窄み形状を有する２個の開口単体５ｆとの組み合わせで構成されており、左右方向に３個の開口単体５ｅと２個の開口単体５ｆとが交互になるように配列するとともに、上下方向で見ると、左右方向に横長の３個の開口単体５ｅの中央部直下又は中央部直上に上下方向に縦長の２個の開口単体５ｆが位置するように密集して配列されている。
このパターン開口形状の組み合わせ方により各開口単体を密集して配列することができので、実施例１、２と同様の効果が得られる。
【実施例４】
【００２２】
図６はこの発明の実施例４における篩用マスクのパターン開口形状を拡大して示す平面図である。この実施例４においては、図６に示すように、パターン開口５は、上下方向に縦長で横７列に配置され、上下両端が円弧状の丸みを持った先窄み形状を有する７個の開口単体５ｇと、この７個の開口単体５ｇのうちの中央の３個の上下部にそれぞれ左右方向に横長で左右両端が円弧状の丸みを持った先窄み形状を有する上下一対の開口単体５ｈと、この上下一対の開口単体５ｈの上下部に位置して、上記７個の開口単体５ｇのうちの最外側の両側２個とともに外殻六角形の亀甲形を形作るように配列された傾斜したハの字形を成す４個の開口単体５ｉとの組み合わせで構成されている。なお、外殻六角形（亀甲形）を形作る上記７個の開口単体５ｇのうちの最外側の両側２個と、傾斜したハの字形を成す４個の開口単体５ｉとは、互いに隣接する外殻六角形（亀甲形）の一部として共用されるものである。
このパターン開口形状の組み合わせ方により各開口単体を密集して配列することができので、実施例１と同様の効果が得られる。
【実施例５】
【００２３】
図７はこの発明の実施例５における篩用マスクのパターン開口形状を拡大して示す平面図である。この実施例５においては、図７（ａ）に示すように、パターン開口５は、左右方向に横長で縦５列に配置され、左右両端が円弧状の丸みを持った先窄み形状を有する５個の開口単体５ｊと、この５個の開口単体５ｊのうちの中央の３個の左右両側部にそれぞれ上下方向に縦長で上下両端が円弧状の丸みを持った先窄み形状を有する左右一対の開口単体５ｋと、この左右一対の開口単体５ｋと上記５個の開口単体５ｊの外側部周囲に位置して、外殻六角形の亀甲形を形作るように配列され、傾斜したハの字形を成す４個を含む六角形（亀甲形）を形成する６個の開口単体５ｌとの組み合わせで構成されている。また、図７（ｂ）に示すように、図７（ａ）を９０度回転させたものであっても良い。
【実施例６】
【００２４】
図８はこの発明の実施例６における篩用マスクのパターン開口の開口単体形状を拡大して示す平面図である。上記実施例１〜５では、開口単体５ａ〜５ｌの左右両端又は上下両端の形状を円弧状の丸みを持った先窄み形状を有する形状としたが、この実施例６においては、図８（ａ）に示すように、先窄み形状を有する山形状に形成したものや、図８（ｂ）に示すように、先窄み形状を有する隅丸状に形成したものであっても良い。この場合でも、開口単体５ａ〜５ｌの両端が山形状又は隅丸状であるので、マスク開口の角部（エッジ部）が破損するのを防止する効果がある。
【実施例７】
【００２５】
なお、上記実施例１では、篩用マスク１を、周囲に設けられた四角状の枠体２と、この枠体２の内側に設けられためっき等により形成された篩網３とから構成されているが、四角状の枠体２の代わりに、深さのある円筒状の筒体とし、この筒体の下端開口部に、めっき等により形成された篩網３を取り付けた構成にしても良い。
【符号の説明】
【００２６】
１  篩用マスク
２  枠体
３  篩網
４  取付孔
５  パターン開口
５ａ〜５ｌ  開口単体
【図１】
0005607331.tif 000002
【図２】
0005607331.tif 000003
【図３】
0005607331.tif 000004
【図４】
0005607331.tif 000005
【図５】
0005607331.tif 000006
【図６】
0005607331.tif 000007
【図７】
0005607331.tif 000008
【図８】
0005607331.tif 000009